(57)【要約】      （修正有）【課題】同報通信チャネルの使用を最小にしつつチャネル品質のインディケータを伝送するための装置及び方法を提供する。【解決手段】観測された伝送の順方向リンク・ジオメトリのメトリックが決定される。チャネル品質値のインディケータが観測された伝送信号の関数として決定される。アクセス系列は、複数のアクセス系列のグループのうちの１つのグループからランダムに選択され、ここにおいて、複数のアクセス系列のグループの各々は、チャネル品質値の異なる範囲に対応する。【選択図】図４
2011024234.tif 000002
【特許請求の範囲】
【請求項１】
無線通信システムにおける、チャネル品質のインディケータを決定する方法、該方法は下記を具備する：
観測された伝送のメトリックを決定すること；
該観測された伝送の少なくとも該メトリックに基づいてチャネル品質の推定値を決定すること；及び
複数のアクセス系列のグループのうちの１つのグループからランダムにアクセス系列を選択すること、ここにおいて、該複数のアクセス系列のグループはチャネル品質値の異なる範囲に対応する、そしてここにおいて、該選択されたアクセス系列は該決定されたチャネル品質の推定値に対応する該複数のグループのうちの該グループからである。
【請求項２】
請求項１に記載の方法、ここにおいて、該メトリックを決定することは、観測されたパイロット信号のパワーを決定することをさらに備える。
【請求項３】
請求項１に記載の方法、ここにおいて、該チャネル品質の推定値を決定することは、ノイズに対する受け取ったパイロット・パワーの比を決定することをさらに備える。
【請求項４】
請求項１に記載の方法、ここにおいて、該チャネル品質の推定値を決定することは、受け取ったパイロット・パワーとノイズとの合計に対する受け取ったパイロット・パワーの比を決定することをさらに備える。
【請求項５】
請求項１に記載の方法、ここにおいて、該複数のアクセス系列のグループ内の該複数のアクセス系列は、不均一に配置される。
【請求項６】
請求項１に記載の方法、該方法は、該選択されたアクセス系列を伝送することをさらに備える。
【請求項７】
請求項６に記載の方法、ここにおいて、伝送することは、周波数分割多重化（ＦＤＭ）体系にしたがって伝送することをさらに備える。
【請求項８】
請求項６に記載の方法、ここにおいて、伝送することは、符号分割多重化（ＣＤＭ）体系にしたがって伝送することをさらに備える。
【請求項９】
請求項６に記載の方法、ここにおいて、該伝送する行為は、直交周波数分割多元接続（ＯＦＤＭＡ）体系にしたがって伝送することをさらに備える。
【請求項１０】
請求項１に記載の方法、ここにおいて、選択することは、アクセス端末要求を指示する情報を選択することをさらに備える。
【請求項１１】
請求項１０に記載の方法、ここにおいて、情報を選択することは、バッファ・レベル・ニーズ、サービスの品質要求、順方向リンク・チャネル品質インディケータの情報を選択することをさらに備える。
【請求項１２】
無線通信システムにおける、チャネル品質のインディケータを決定するための装置、該装置は下記を具備する：
観測される伝送を受け取るために構成された受信機；
該観測された伝送のメトリックを決定するため、そして該観測された伝送の少なくとも該メトリックの関数としてチャネル品質の推定値を決定するために構成されたプロセッサ；
複数のアクセス系列のグループを記憶するために構成されたメモリ・エレメント、ここにおいて、該複数のアクセス系列のグループはチャネル品質値の異なる範囲に対応する；及び
該決定されたチャネル品質値に対応する該複数のグループのうちの該グループからランダムにアクセス系列を選択するために構成されたセレクタ。
【請求項１３】
請求項１２に記載の装置、ここにおいて、該プロセッサは、ノイズに対する受け取ったパイロット・パワーの比を決定することをさらに備える。
【請求項１４】
請求項１２に記載の装置、ここにおいて、該複数のアクセス系列のグループ内の該複数のアクセス系列は、不均一に配置される。
【請求項１５】
請求項１２に記載の装置、該装置は、該選択されたアクセス系列を伝送するために構成された送信機をさらに備える。
【請求項１６】
請求項１５に記載の装置、ここにおいて、該送信機は、周波数分割多重化（ＦＤＭ）体系にしたがって伝送するためにさらに構成される。
【請求項１７】
請求項１５に記載の装置、ここにおいて、該送信機は、符号分割多重化（ＣＤＭ）体系にしたがって伝送するためにさらに構成される。
【請求項１８】
請求項１４に記載の装置、ここにおいて、該送信機は、直交周波数分割多元接続（ＯＦＤＭＡ）体系にしたがって伝送するためにさらに構成される。
【請求項１９】
請求項１１に記載の装置、ここにおいて、該セレクタは、アクセス端末要求を指示する情報を選択するためにさらに構成される。
【請求項２０】
請求項１９に記載の装置、ここにおいて、該アクセス端末要求を指示する情報は、バッファ・レベル、サービスの品質要求、順方向リンク・チャネル品質インディケータを備える。
【請求項２１】
無線通信システムにおける、チャネル品質のインディケータを決定するための装置、該手段は下記を具備する：
観測される伝送のパワー・レベルを決定するための手段；
該観測された伝送の該パワー・レベルの関数としてＣＱＩ値を決定するための手段；及び
複数のアクセス系列のグループのうちの１つのグループからランダムにアクセス系列を選択するための手段、ここにおいて、該複数のアクセス系列のグループはＣＱＩ値の異なる範囲に対応する、そしてここにおいて、該選択されたアクセス系列は該決定されたＣＱＩ値に対応する該複数のグループのうちの該グループからである。
【請求項２２】
請求項２１に記載の装置、ここにおいて、パワー・レベルを決定するための手段は、観測されるパイロット信号のパワー・レベルを決定するための手段をさらに備える。
【請求項２３】
請求項２１に記載の装置、ここにおいて、該複数のアクセス系列のグループ内の該複数のアクセス系列は、不均一に配置される。
【請求項２４】
請求項２１に記載の装置、該装置は、該選択されたアクセス系列を伝送するための手段をさらに備える。
【請求項２５】
請求項２４に記載の装置、ここにおいて、伝送するための手段は、周波数分割多重化（ＦＤＭ）体系にしたがって伝送するための手段をさらに備える。
【請求項２６】
請求項２４に記載の装置、ここにおいて、伝送するための手段は、符号分割多重化（ＣＤＭ）体系にしたがって伝送するための手段をさらに備える。
【請求項２７】
請求項２４に記載の装置、ここにおいて、伝送するための手段は、直交周波数分割多重化（ＯＦＤＭ）体系にしたがって伝送することをさらに備える。
【請求項２８】
請求項２４に記載の装置、ここにおいて、該伝送するための手段は、直交周波数分割多元接続（ＯＦＤＭＡ）体系にしたがって伝送するための手段をさらに備える。
【請求項２９】
請求項２１に記載の装置、ここにおいて、選択することは、アクセス端末要求を指示する情報を選択するための手段をさらに備える。
【請求項３０】
請求項２９に記載の装置、ここにおいて、情報を選択するための手段は、バッファ・レベル・ニーズ、サービスの品質要求、及び／又は順方向リンク・チャネル品質インディケータに関する情報を選択することをさらに備える。
【請求項３１】
無線通信システムにおける、アクセス端末ニーズに関する情報を伝送する方法、該方法は下記を具備する：
観測されるパイロット信号の受け取られたパワー・レベルを決定すること；
該受け取られたパワー・レベルの関数としてＣＱＩ値を決定すること；及び
複数のアクセス系列のグループのうちの１つのグループからランダムにアクセス系列を選択すること、ここにおいて、該複数のアクセス系列のグループは複数の予め決められた要素に対応する。
【請求項３２】
請求項３１に記載の方法、ここにおいて、該予め決められた要素は、ＣＱＩ値の範囲、バッファ・レベルの範囲、パケット・サイズ、トラフィック・タイプ、周波数帯域幅要求及びサービスの品質インディケータの範囲のうちの１又はそれより多くを含む。
【請求項３３】
無線通信システムにおける、チャネル品質インディケータ（ＣＱＩ）を伝達する方法、該方法は下記を具備する：
観測されるパイロット信号のパワー・レベルを決定すること；
該観測されたパイロット信号の該パワー・レベルの関数としてＣＱＩ値を決定すること；
複数のアクセス系列のグループのうちの１つのグループからランダムにアクセス系列を選択すること、ここにおいて、該複数のアクセス系列のグループは異なる該ＣＱＩ値に対応する；
該選択されたアクセス系列に該ＣＱＩ値を付け加えること；及び
該アクセス系列及びＣＱＩ値を伝送すること。
【請求項３４】
複数のアクセス系列を区分する方法、該方法は下記を具備する：
アクセス・ポイントについて複数のアクセス端末の確率分布を決定すること、ここにおいて、該確率分布は複数のサブグループに区分されようとしている複数のアクセス端末の関数である、ここにおいて、各サブグループは予め決められた範囲内のＣＱＩ値の関数として分類される；及び
該確率分布に比例してアクセス系列のグループを割り当てること。
【請求項３５】
請求項３４に記載の方法、該方法は、該アクセス・ポイントについてのアクセス端末の分布の変化の関数としてアクセス系列を再割り当てすることをさらに備える。
【請求項３６】
無線通信システムにおける、アクセス端末ニーズに関する情報を伝送するための装置、該装置は下記を具備する：
観測されるパイロット信号の受け取られるパワー・レベルを決定するための手段；
該受け取られたパワー・レベルの関数としてＣＱＩ値を決定するための手段；及び
複数のアクセス系列のグループのうちの１つのグループからランダムにアクセス系列を選択するための手段、ここにおいて、該複数のアクセス系列のグループは複数の予め決められた要素に対応する。
【請求項３７】
請求項３１に記載の装置、ここにおいて、該予め決められた要素は、ＣＱＩ値の範囲、バッファ・レベルの範囲、パケット・サイズ、トラフィック・タイプ、周波数帯域幅要請及びサービスの品質インディケータの範囲のうちの１又はそれより多くを含む。
【請求項３８】
無線通信システムにおける、チャネル品質インディケータ（ＣＱＩ）を伝達するための装置、該装置は下記を具備する：
観測されるパイロット信号のパワー・レベルを決定するための手段；
該観測されたパイロット信号の該パワー・レベルの関数としてＣＱＩ値を決定するための手段；
複数のアクセス系列のグループのうちの１つのグループからランダムにアクセス系列を選択するための手段、ここにおいて、該複数のアクセス系列のグループは異なる該ＣＱＩ値に対応する；
該選択されたアクセス系列に該ＣＱＩ値を付け加えるための手段；及び
該アクセス系列及びＣＱＩ値を伝送するための手段。
【請求項３９】
複数のアクセス系列を区分するための装置、該装置は下記を具備する：
アクセス・ポイントについて複数のアクセス端末の確率分布を決定するための手段、ここにおいて、該確率分布は複数のサブグループに区分されようとしている複数のアクセス端末の関数である、ここにおいて、各サブグループは予め決められた範囲内のＣＱＩ値の関数として分類される；及び
該確率分布に比例してアクセス系列のグループを割り当てるための手段。
【請求項４０】
請求項３４に記載の装置、該装置は、該アクセス・ポイントについてのアクセス端末の分布の変化の関数としてアクセス系列を再割り当てするための手段をさらに備える。
【請求項４１】
無線通信システムにおける、検出されたアクセス系列の受領通知を伝送する方法、該方法は下記を具備する：
アクセス系列を受け取ること；
該アクセス系列の関数として与えられたアクセス端末の少なくとも１つの属性を決定すること；及び
該少なくとも１つの属性と同等（commensurate）の情報を伝送すること。
【請求項４２】
請求項４１に記載の方法、ここにおいて、該属性は、チャネル品質インディケータ、バッファ・レベル・インディケータ、優先権インディケータ及びサービスの品質インディケータのうちの少なくとも１つである。
【請求項４３】
請求項４１に記載の方法、ここにおいて、該情報を伝送することは、受領のインディケータを伝送することをさらに備える。
【請求項４４】
請求項４３に記載の方法、該方法は、共用シグナリング・チャネル（ＳＳＣＨ）を介して受領のインディケータを伝送することをさらに備える。
【請求項４５】
請求項４４に記載の方法、ここにおいて、該受領のインディケータは、共用シグナリング・チャネル（ＳＳＣＨ）の特定の部分に含まれる、ここにおいて、該ＳＳＣＨの該部分は該受領のインディケータが良好に受け取られるために必要な伝送パワーに基づいて区分される。
【請求項４６】
無線通信システムにおける、Ｎのディメンションを具備するメモリ媒体、ここにおいて、該ディメンションのうちの少なくとも１つはアクセス系列をチャネル品質のインディケータと相互に関係付けるデータを備える。
【請求項４７】
請求項４６に記載のメモリ媒体、該メモリ媒体は、アクセス系列をバッファ・レベルと相互に関係付けるデータを備えるディメンションをさらに備える。
【請求項４８】
請求項４６に記載のメモリ媒体、該メモリ媒体は、アクセス系列をパケット・サイズと相互に関係付けるデータを備えるディメンションをさらに備える。
【請求項４９】
請求項４６に記載のメモリ媒体、該メモリ媒体は、アクセス系列をトラフィック・タイプと相互に関係付けるデータを備えるディメンションをさらに備える。
【請求項５０】
請求項４６に記載のメモリ媒体、該メモリ媒体は、アクセス系列をサービスの品質インディケータと相互に関係付けるデータを備えるディメンションをさらに備える。
【請求項５１】
請求項４６に記載のメモリ媒体、該メモリ媒体は、アクセス系列を周波数帯域幅に関する要請と相互に関係付けるデータを備えるディメンションをさらに備える。
【請求項５２】
無線通信システムにおける、検出されたアクセス系列の受領通知を伝送するための装置、該装置は下記を具備する：
アクセス系列を受け取るための手段；
該アクセス系列の関数として与えられたアクセス端末の少なくとも１つの属性を決定するための手段；及び
該少なくとも１つの属性と同等の情報を伝送するための手段。
【請求項５３】
請求項５２に記載の装置、ここにおいて、該属性は、チャネル品質インディケータ、バッファ・レベル・インディケータ、優先権インディケータ及びサービスの品質インディケータのうちの少なくとも１つである。
【請求項５４】
請求項５２に記載の装置、ここにおいて、該情報を伝送するための手段は、受領のインディケータを伝送することをさらに備える。
【請求項５５】
請求項５４に記載の装置、該装置は、共用シグナリング・チャネル（ＳＳＣＨ）を介して受領のインディケータを伝送するための手段をさらに備える。
【請求項５６】
請求項５４に記載の装置、ここにおいて、該受領のインディケータは、共用シグナリング・チャネル（ＳＳＣＨ）の特定の部分に含まれる、ここにおいて、該ＳＳＣＨの該部分は該受領のインディケータが良好に受け取られるために必要な伝送パワーに基づいて区分される。
【発明の詳細な説明】
【技術分野】
【０００１】
本出願は、米国特許仮出願番号第６０／５９０，１１３号、２００４年７月２１日出願、に優先権を主張し、その全体が引用によってここに取り込まれている。
【０００２】
本発明は、一般にワイアレス通信に係り、そして特に多元接続無線通信システムにおけるデータ伝送に関する。
【背景技術】
【０００３】
アクセス・チャネルは、アクセス・ポイントとの最初の接続のためにアクセス端末によって逆方向リンク上で使用される。アクセス端末は、専用チャネルを要請するために、登録するために、又はハンドオフを実行するために、等のためにアクセス・アテンプト（attempt）を開始できる。アクセス・アテンプトを開始する前に、アクセス端末は、近隣のアクセス・ポイントからの最も強い信号強度を決定するため、そしてダウンリンク・タイミングを得るために、ダウンリンク・チャネルから情報を受け取る。アクセス端末は、その後、アクセス端末のアクセス・アテンプトを左右するパラメータの選択に関して同報通信チャネル上の与えられたアクセス・ポイントによって伝送された情報を符号化できる。
【０００４】
ある複数の無線通信システムでは、アクセス・チャネルは、伝えられようとしているプローブ及びメッセージの両方を呼ぶ。別の無線通信システムでは、アクセス・チャネルは、プローブだけを呼ぶ。一旦、プローブが受領されると、アクセス端末のアクセス・アテンプトを左右するメッセージが、伝送される。
【０００５】
直交周波数分割多元接続（ＯＦＤＭＡ：orthogonal frequency division multiple access）システムでは、アクセス端末は、アクセス・チャネル上で伝送されようとしているアクセス伝送を複数の部分に、プリアンブル伝送及びペイロード伝送に、一般的に分離する。アクセス・プリアンブル伝送の間に逆方向リンク上の正確なタイミングの欠如に起因するセル内干渉を防ぐために、ＣＤＭベースのプリアンブル伝送は、残りの伝送（すなわち、トラフィック、制御、及びアクセス・ペイロード）と時分割多重化されることができる。システムをアクセスするために、アクセス端末は、それからＰＮ系列のグループの中から１つのＰＮ系列をランダムに選択し、そしてそれをアクセス・スロットの間に自分のプリアンブルとして送る。
【０００６】
アクセス・ポイントは、アクセス・スロットの間に伝送されたはずのいずれかのプリアンブル（すなわち、全ての可能性のあるＰＮ系列）を検索する。アクセス・プリアンブル伝送の出来栄えは、衝突確率、誤検出確率、及び偽警告確率に関して測定される。衝突確率は、特定の擬似ランダム（ＰＮ）系列が同じアクセス・スロットにおいて自分のプリアンブルとして１つより多くのアクセス端末によって選択される確率を呼ぶ。この確率は、利用可能なプリアンブル系列の数に逆比例する。誤検出確率は、伝送されたＰＮ系列が基地局によって検出されない確率を呼ぶ。偽警告確率は、プリアンブルが実際に伝送されていないが、プリアンブルが伝送されたとアクセス・ポイントが誤って伝える確率を呼ぶ。この確率は、利用可能なプリアンブルの数とともに増加する。
【０００７】
アクセス・ポイントは、その後、検出されたプリアンブルの各々に対して受領通知を伝送する。受領通知メッセージは、検出されたＰＮ系列、タイミング・オフセット補正、及びアクセス・ペイロード伝送のためのチャネルのインデックスを含むことができる。そのＰＮ系列が受理されているアクセス端末は、その後、指定されたリソースを使用してそれぞれのアクセス・ペイロードを伝送できる。
【０００８】
アクセス端末がシステム内のどこにいるのかの事前の知識（すなわち、そのパワー必要性、バッファ・レベル、又はサービスの品質がどの程度であるか）をアクセス・ポイントが持たないという理由で、受領通知メッセージは、十分に高いパワー・レベルで同報通信され、その結果、与えられたセル内の全てのアクセス端末は、メッセージを復号できる。同報通信された受領通知は、リンクを終わらせるために不相応な送信パワー及び／又は周波数帯域幅を必要とするので非効率的である。それゆえ、与えられたセル内のアクセス端末に受領通知メッセージをより効率的に送るニーズがある。
【発明の概要】
【０００９】
本発明の複数の実施形態は、そのプリアンブル伝送の間の同報通信受領通知チャネルの使用を最小にする。本発明の複数の実施形態は、順方向リンク・チャネル品質に関する情報がアクセス・プリアンブル伝送の間にアクセス・チャネルを介してどのようにして効率的に信号を送ることができるかにさらに向けられる。
【００１０】
１つの実施形態では、同報通信チャネルの使用を最小にするチャネル品質のインディケータを伝送するための装置及び方法が、記載される。観測された伝送の順方向リンク・ジオメトリのメトリック（metric）が決定される。チャネル品質値のインディケータは、観測された伝送信号の関数として決定される。アクセス系列は、複数のアクセス系列のグループのうちの１つのグループからランダムに選択され、ここにおいて、該複数のアクセス系列のグループは、チャネル品質値の異なる範囲に対応する。
【００１１】
順方向リンク・ジオメトリのメトリックは、観測されたパイロット信号、ノイズ、及び／又はデータ・チャネルのトラフィックの関数として決定されることができる。複数のアクセス系列のグループ内のアクセス系列の総数は、不均一に配置される。１つの実施形態では、アクセス系列は、アクセス・ポイントについてアクセス端末の分布を反映するように配置される。他の１つの実施形態では、アクセス系列は、受領通知のインディケータをアクセス端末に送るために必要とされる所定量のパワーを必要とするアクセス端末の数に比例して配置される。
【００１２】
他の１つの実施形態では、複数のアクセス系列を区分する方法が記載される。アクセス・ポイントについて複数のアクセス端末の確率分布が決定される。確率分布は、予め決められた範囲内のＣＱＩ値を有する複数のアクセス端末の関数として決定される。アクセス系列のグループは、確率分布に比例して割り当てられる。アクセス系列は、アクセス・ポイントについてのアクセス端末の分布の変化の関数として再割り当てされることができる。
【００１３】
しかも他の１つの実施形態では、検出されたアクセス系列の受領通知を伝送する装置及び方法が記載される。アクセス系列が受け取られる。アクセス系列は、メモリ中に記憶されたルックアップ・テーブル中に自動参照されることができ、（アクセス系列の関数として）与えられたアクセス端末の少なくとも１つの属性を決定する。属性は、チャネル品質インディケータ、バッファ・レベル・インディケータ、及びサービスの品質インディケータのような情報であり得る。情報は、その後、アクセス端末に伝送され、そこでは、情報は、属性と同等でありそして矛盾がない。伝送された情報は、受領通知のインディケータを含むことができる。受領通知のインディケータは、共用シグナリング・チャネル（ＳＳＣＨ：shared signaling channel）を介して伝送されることができる。
【００１４】
本発明の種々の態様及び実施形態が、以下にさらに詳細に記載される。
【図面の簡単な説明】
【００１５】
【図１】図１は、送信機及び受信機のブロック図を図示する。
【図２】図２は、アクセス・プローブ構造及びアクセス・プローブ系列を図示する。
【図３】図３は、アクセス端末とアクセス・ポイントとの間の従来のコール・フローを図示する。
【図４】図４は、同報通信受領通知の使用を回避する本発明の１実施形態を図示する。
【図５】図５は、一様なスペーシングを使用して区分されたコールを図示する。
【図６】図６は、量子化されたＣＱＩ値に基づいて重み付けをして区分することを示す図を説明する。
【図７】図７は、種々の要素に基づいてアクセス系列のグループをアクセス系列のサブグループに区分するメモリ内に記憶されたテーブルを図示する。
【図８】図８は、アクセス系列をダイナミックに割り当てるためのプロセスを図示する。
【００１６】
［詳細な説明］
本発明の特徴及び本質は、図面を使用して以下に述べる詳細な説明から、さらに明確になるであろう。図面では、同じ参照符号は一貫して対応するものを識別する。
【００１７】
用語“具体例の”は、“例、事例、又は実例として働くこと”を意味するように本明細書中では使用される。“具体例の“として本明細書中で記載されたいずれかの実施形態又は設計が、他の実施形態又は設計に対して好ましい又は優位であるとして解釈される必要はない。
【００１８】
１つのパケットに対して複数の変調体系を使用するために本明細書中に記載される技術は、様々な通信システムに対して使用されることができ、例えば、直交周波数分割多元接続（ＯＦＤＭＡ：Orthogonal Frequency Division Multiple Access）システム、コード分割多元接続（ＣＤＭＡ：Code Division Multiple Access）システム、時分割多元接続（ＴＤＭＡ：Time Division Multiple Access）システム、周波数分割多元接続（ＦＤＭＡ：Frequency Division Multiple Access）システム、直交周波数分割多重化（ＯＦＤＭ：orthogonal frequency division multiplexing）ベースのシステム、単一入力単一出力（ＳＩＳＯ：single-input multiple-output）システム、多元入力多元出力（ＭＩＭＯ：multiple-input multiple-output）システム、及びその他である。これらの技術は、増分冗長度（ＩＲ：incremental redundancy）を利用するシステム及びＩＲを利用しないシステム（例えば、データを単純に繰り返すシステム）に対して使用されることができる。
【００１９】
本発明の実施形態は、アクセス端末が自身のプリアンブル伝送の間に順方向リンク・チャネル品質（すなわち、ＣＱＩ）、バッファ・レベル要求、サービスの品質要求、等のようなパラメータを指示することによって同報通信受領通知チャネルの使用を回避する。アクセス端末が順方向リンク・チャネル品質を指示することによって、アクセス・ポイントは、与えられたアクセス端末又はアクセス端末のグループに対して適正な量のパワーを使用してチャネル上で各受領通知を伝送できる。受領通知メッセージがアクセス端末のグループに伝送されようとしているケースでは、受領通知メッセージは、（範囲内の）同じＣＱＩ値又は類似のＣＱＩ値を指示された複数のアクセス端末に送られる。本発明の実施形態は、ＣＱＩがアクセス・プリアンブル伝送の間にアクセス・チャネルを介してどのようにして効率的に信号を送ることができるかにさらに向けられる。
【００２０】
“アクセス端末”は、ユーザに音声及び／又はデータ接続性を与えるデバイスを呼ぶ。アクセス端末は、ラップトップ・コンピュータ又はデスクトップ・コンピュータのような演算デバイスに接続されることができる、又はパーソナル・ディジタル・アシスタントのような組み込みデバイスであり得る。アクセス端末は、加入者局、加入者ユニット、移動局、無線デバイス、移動体、遠隔局、ユーザ端末、ユーザ・エージェント、又はユーザ装置とも呼ばれることができる。加入者局は、セルラ電話機、ＰＳＣ電話機、コードレス電話機、セッション開始プロトコル（ＳＩＰ：Session Initiation Protocol）電話機、無線ローカル・ループ（ＷＬＬ：wireless local loop）局、パーソナル・ディジタル・アシスタンツ（ＰＤＡ：personal digital assistants）、無線接続能力を有する手持ちデバイス、無線モデムに接続された別の処理デバイス、であり得る。
【００２１】
“アクセス・ポイント”は、アクセス端末又は別のアクセス・ポイントと、１又はそれより多くのセクタを経由して、無線インターフェースを介して通信するアクセス・ネットワーク内のデバイス呼ぶ。アクセス・ポイントは、受け取った無線インターフェース・フレームをＩＰパケットに変換することによって、アクセス端末と残りのアクセス・ネットワーク、それはＩＰネットワークを含むことができる、との間のルータとして働く。アクセス・ポイントは、しかも、無線インターフェースに関する属性の管理を調整する。アクセス・ポイントは、基地局、セクタの基地局、及び／又は基地トランシーバ局（ＢＴＳ：base transceiver station）及び基地局コントローラ（ＢＳＣ：base station controller）の組み合わせであり得る。
【００２２】
図１は、無線通信システム２００内の送信機２１０及び受信機２５０のブロック図を図示する。送信機２１０において、ＴＸデータ・プロセッサ２２０は、データ・ソース２１２からデータ・パケットを受け取る。ＴＸデータ・プロセッサ２２０は、そのパケットに対して選択されたモードにしたがって各データ・パケットを処理し（例えば、フォーマット化し、符号化し、区分し、インターリーブし、そして変調し）、そしてそのパケットに対してＴ個までのデータ・シンボルのブロックを発生する。各データ・パケットに対して選択されたモードは、（１）パケット・サイズ（すなわち、パケットのための情報ビットの数）及び（２）そのパケットの各データ・シンボル・ブロックに対して使用するためのコード・レートと変調体系との特定の組み合わせ、を指示することができる。コントローラ２３０は、選択されたモードに基づいて各データ・パケットに対するデータ・ソース２１２及びＴＸデータ・プロセッサ２２０に様々な制御を提供する。ＴＸデータ・プロセッサ２２０は、データ・シンボル・ブロックのストリーム（例えば、各フレームに対して１ブロック）を提供する、そこでは、各パケットに対するブロックは、１又はそれより多くの別のブロックとインターレースされることができる。
【００２３】
送信機ユニット（ＴＭＴＲ：transmitter unit）２２２は、ＴＸデータ・プロセッサ２２０からデータ・シンボル・ブロックのストリームを受け取り、そして変調された信号を発生する。送信機ユニット２２２は、（例えば、時間多重化、周波数多重化、及び／又はコード分割多重化を使用して）データ・シンボルをパイロット・シンボルに多重化し、そして送信シンボルのストリームを得る。各送信シンボルは、データ・シンボル、パイロット・シンボル、又はゼロの信号値を有するヌル・シンボルであり得る。もし、ＯＦＤＭがシステムによって使用されるならば、送信機ユニット２２２は、ＯＦＤＭ変調を実行できる。送信機ユニット２２２は、時間ドメイン・サンプルのストリームを発生し、さらに変調された信号を発生するためにサンプル・ストリームを調整する（例えば、アナログに変換し、周波数アップコンバートし、フィルタし、そして増幅する）。変調された信号は、次に、受信機２５０にアンテナ２２４からそして通信チャネルを介して伝送される。
【００２４】
受信機２５０において、送信された信号は、アンテナ２５２によって受け取られ、そして受け取られた信号は、受信機ユニット（ＲＣＶＲ：receiver unit）２５４に与えられる。受信機ユニット２５４は、受け取られた信号を調整し、ディジタル化し、そして前処理をして（例えば、ＯＦＤＭ復調して）、受け取られたデータ・シンボル及び受け取られたパイロット・シンボルを得る。受信機ユニット２５４は、受け取られたデータ・シンボルを検出器２５６に与えそして受け取られたパイロット・シンボルをチャネル推定器２５８に与える。チャネル推定器２５８は、受け取られたパイロット・シンボルを処理し、そして通信チャネルに関するチャネル推定値（例えば、チャネル利得推定値及びＳＩＮＲ推定値）を与える。検出器２５６は、チャネル推定値を用いて受け取られたデータ・シンボルについて検出を実行し、そして検出されたデータ・シンボルをＲＸデータ・プロセッサ２６０に与える。検出されたデータ・シンボルは、（以下に説明されるように）データ・シンボルを形成するために使用するコード・ビットに関する対数尤比（ＬＬＲ：log-likelihood ratio）によって表されることができる又は他の表記によって表されることができる。検出されたデータ・シンボルの新たなブロックが、与えられたデータ・パケットに対して得られるときはいつでも、ＲＸデータ・プロセッサ２６０は、そのパケットに対して得られた全ての検出されたデータ・シンボルを処理し（例えば、デインターリーブしそして復号し）、そしてデータ・シンク２６２に復号されたパケットを与える。ＲＸデータ・プロセッサ２６０は、同様に、復号されたパケットを検査し、そしてパケット・ステータスを与える、それはパケットが正しく復号されたか又は誤りで復号されたかどうかを指示する。
【００２５】
コントローラ２７０は、チャネル推定器２５８からチャネル推定値を受け取り、そしてＲＸデータ・プロセッサ２６０からパケット・ステータスを受け取る。コントローラ２７０は、チャネル推定値に基づいて受信機２５０に伝送されようとしている次のデータ・パケットに対するモードを選択する。コントローラ２７０は、同様に、フィードバック情報をアセンブルする。フィードバック情報は、ＴＸデータ・プロセッサ２８２によって処理され、送信機ユニット２８４によってさらに調整され、そして送信機２１０にアンテナ２５２を介して伝送される。
【００２６】
送信機２１０において、受信機２５０からの送信された信号は、アンテナによって受け取られ、受信機ユニット２４２によって調整され、そしてＲＸデータ・プロセッサ２４４によってさらに処理されて、受信機２５０によって送られたフィードバック情報を復元させる。コントローラ２３０は、受け取られたフィードバック情報を取得し、受信機２５０に送られるパケットのＩＲ伝送を制御するためにＡＣＫ／ＮＡＫを使用し、そして次のデータ・パケットを処理するために選択されたモードを使用して、受信機２５０に送る。コントローラ２３０及び２７０は、それぞれ、送信機２１０及び受信機２５０における動作を管理する。メモリ・ユニット２３２及び２７２は、それぞれ、コントローラ２３０及び２７０によって使用されるプログラム・コード及びデータに対する記憶場所を与える。
【００２７】
図２は、アクセス・プローブ構造及びアクセス・プローブ系列２００を図示する。図２において、ＮＳ個のプローブ系列が示され、そこでは各プローブ系列がＮＰ個のプローブを有する。媒体アクセス制御レイヤ（ＭＡＣ：media access control layer）プロトコルは、プローブを伝送するように物理レイヤに指示することによってアクセス・プローブを伝送する。命令と同時に、アクセス・チャネルＭＡＣプロトコルは、複数の要素を有する物理レイヤを与える。複数の要素は、パワー・レベル、アクセス系列識別、アクセス・プローブが伝送されようとしているセクタのパイロットＰＮ、タイミング・オフセット・フィールド及び制御セグメント・フィールドを含むが、これらに限定されない。系列中の各プローブは、アクセス端末がアクセス認可を受け取るまで増加するパワーで伝送される。プロトコルが使用中止命令を受け取ると、又は系列当りの最大数のプローブが伝送されると、伝送は、打ち切られる。全体のプローブ系列のうちの最初のプローブの伝送の前に、アクセス端末は、アクセス・チャネル上の混雑を制御するために使用される持続性検査（persistent test）を生成する。
【００２８】
図３は、アクセス端末とアクセス・ポイント３００との間の従来のコール・フローを図示する。アクセス端末３０４は、プリアンブル、又はＰＮ系列のグループの中からＰＮ系列をランダムに選択し、そしてアクセス・ポイント３１２へのアクセス・スロットの間にプリアンブルを送る３０８。受け取ると、アクセス・ポイント３１２は、それから検出した各々のプリアンブルに対して、同報通信受領通知を含むアクセス認可を伝送する３１６。この受領通知は、十分に高いパワーで伝送された同報通信される受領通知であり、その結果、与えられたセル内の全てのアクセス端末が同報通信受領通知を復号できる。アクセス端末がシステム内のどこにいるかの事前の知識をアクセス・ポイントが持たず、そしてそれゆえアクセス端末が同報通信受領通知を復号するために必要なパワー・レベルについての知識がないという理由で、これは必要と判断される。アクセント認可３１６の受信で、アクセス端末３０４は、アクセス認可において割り当てられた限定されたリソースによってペイロードを送る３２０。
【００２９】
上に説明された同報通信受領通知伝送は、リンクを閉じるために不釣合いな量の伝送パワー及び／又は周波数帯域幅を必要とするので相対的に非効率的である。図４は、同報通信受領通知の使用を回避する１実施形態４００を図示する。アクセス端末は、アクセス・ポイントからの伝送を観測する４０８。観測する際に、アクセス端末は、自分が受け取る伝送のパワーを決定する。これらの観測は、一般的に、共用シグナリング・チャネル（ＳＳＣＨ：shared signaling channel）チャネルの一部としてのパイロット伝送又は観測された捕捉パイロット信号伝送から順方向リンク・チャネル品質を決定することを含む。
【００３０】
アクセス端末４０４は、それからアクセス系列のグループの中からプリアンブル、又はアクセス系列をランダムに選択し、そしてプリアンブル４１０をアクセス・ポイント４１２に送る。このプリアンブルは、順方向リンク・チャネル品質（ＣＱＩ）のある種の知識とともに伝送される。ＣＱＩ情報は、プリアンブルの内部にあるかのように、又は、プリアンブルに付け加えられて、伝送されることができる。他の１つの実施形態では、アクセス系列は、複数のアクセス系列のグループの中からランダムに選択され、そこでは、アクセス系列の各グループは、ＣＱＩ値の範囲に対して指定される。例えば、順方向リンク・チャネル品質の表示は、観測されるパイロット信号パワーであり得る。観測されたパイロット信号パワーは、予め決められた値のセットに基づいてＣＱＩ値に量子化され得る。そのように、受信したパイロット信号の与えられた範囲は、与えられたＣＱＩ値に対応することができる。したがって、アクセス・ポイント４１２は、アクセス端末によって選択されたアクセス系列によって与えられたアクセス端末のＣＱＩを決定できる。
【００３１】
アクセス端末がアクセス・ポイント４１２との自分の最初のアクセス・アテンプトの間に順方向リンク・チャネル品質のインディケータを送るという理由で、アクセス・ポイント４１２は、指定されたアクセス端末４０４に対して適切なパワーの量を使用してチャネル上に各受領通知を伝送する４１６ために必要な知識を有する。１つの実施形態では、受領通知メッセージは、同じＣＱＩ値又は類似のＣＱＩ値を有するアクセス端末のグループに送られることができる。これは、ＳＳＣＨの使用を通してであり得る。そのように、伝送を良好に受け取るように、アクセス端末に対して必要なパワー・レベルに基づいて、アクセス・ポイントは、ＳＳＣＨメッセージの適切なセクションにおいて受領通知メッセージを送る。
【００３２】
ＣＱＩ情報に加えて、アクセス端末は、初期のアクセス・フェーズの間にアクセス・ポイントにとって関心のある別の情報を送ることができる。例えば、アクセス端末は、アクセス端末がアクセス・ポイントに送るように意図するデータの量を指示する、バッファ・レベル・インディケータを送ることができる。そのような知識を用いて、アクセス・ポイントは、初期のリソース割り当てを適切な大きさにすることができる。
【００３３】
アクセス端末は、しかも優先グループ又はサービスの品質に関する情報を送ることができる。この情報は、アクセス・ポイント能力が限定されている、又はシステム過負荷の場合にアクセス端末の優先順位を付けるために使用されることができる。
【００３４】
アクセス端末によりアクセス認可メッセージを受け取ると、アクセス端末４０４は、アクセス認可メッセージに規定されたリソースによりペイロードを送る４２０。初期のアクセス・フェーズの間に追加の情報を受け取ることによって、アクセス・ポイントは、アクセス認可メッセージの一部としてＣＱＩ、バッファ・レベル、及びサービスの品質情報を知ることの利益を得ることができる。
【００３５】
図５は、一様なスペーシングを使用して区分されたセル５００を図示する。セルは、複数の領域Ｒに分割される、そこでは、各領域が与えられた範囲内で観測されるメトリックの蓋然性を有することによって規定される。１つの実施形態では、順方向リンク・ジオメトリの観測が使用される。例えば、Ｃ／Ｉのようなメトリックが使用されることができる、ここで、Ｃは受け取られたパイロット・パワーであり、そしてＩは観測されるノイズである。同様に、Ｃ／（Ｃ＋Ｉ）が使用されることができる。言い換えると、観測される信号パワーとノイズを利用するある種の測定が、使用される。これらの観測されるメトリックは、与えられたＣＱＩ値、又はＣＱＩ値の範囲に対応し、それはそれゆえ領域を規定する。例えば、領域Ｒ１は、Ｐ１よりも大きなパワー・レベル及び／又はノイズ・レベルに対応するＣＱＩ値を有する領域を規定する。領域Ｒ２は、Ｐ２＞Ｒ２＞Ｐ１になるようなパワー・レベル及び／又はノイズ・レベルに対応するＣＱＩ値を有する領域を規定する。同様に、領域Ｒ３は、Ｐ３＞Ｒ３＞Ｐ２になるようなパワー・レベル及び／又はノイズ・レベルに対応するＣＱＩ値を有する領域を規定し、等である。領域ＲＮ−１は、パワー・レベル及び／又はノイズ・レベルがＰｘ＞ＲＮ−１＞Ｐｙになるようなパワー・レベル及び／又はノイズ・レベルに対応するＣＱＩ値を有する。同様に、領域ＲＮは、観測されるパワー・レベル及び／又はノイズ・レベルが＜Ｐｘに対応するＣＱＩ値を有する。
【００３６】
理論的には、Ｎ個の可能性のあるプリアンブル系列のうちの１つを伝送するように選択することによって、最大ｌｏｇ２（Ｎ）ビットまでの情報が伝達されることができる。例えば、Ｎ＝１０２４の時に、ｌｏｇ２（１０２４）＝１０ビット程度に多くが伝達されることができる。そのように、どのプリアンブル系列を伝送するかを選択することによって、ユーザに依存する情報をプリアンブル伝送の一部として埋め込まれるようにすることが可能である。
【００３７】
普通に使用される技術は、Ｎ個のプリアンブル系列を｛１，２，．．．，Ｍ｝とラベルを付けられたＭ個の別個のセットに区分することである。ｌｏｇ２（Ｍ）個の可能性（すなわち、ｌｏｇ２（Ｍ）ビット）のうちの１つに信号を送るために、適切なセット内の系列が選択されそして伝送される。例えば、メッセージ・インデックスｋ∈｛１，２，．．．，Ｍ｝の信号を送るために、ｋ番目のセット内の系列が、（ランダムに）選択されそして伝送される。受信機における正しい検出を仮定すると、送信された情報（すなわち、ｌｏｇ２（Ｍ）ビット・メッセージ）は、受け取られた系列がそこに属するセットのインデックスに基づいて得られることができる。
【００３８】
一様に区分する方法では、そこではＮ個のプリアンブル系列がＭ個のグループに一様に区分される（すなわち、各グループはＮ／Ｍ個の系列を含む）。測定されたＣＱＩ値に基づいて、適切なセットからのプリアンブル系列のうちの１つが、選択されそして伝送される。衝突確率は、その時は測定されたＣＱＩのマッピング／量子化及び同時のアクセス・アテンプトの数に依存する。
【００３９】
これは、Ｐｒ（Ｍ（ＣＱＩ）＝１）＝αそしてＰｒ（Ｍ（ＣＱＩ）＝１）＝αを用いて、ＣＱＩの単純２レベル量子化（すなわち、Ｍ＝２）を考慮することによって説明されることができる、ここで、Ｍ（ｘ）は、測定されたＣＱＩ値を２つのレベルのうちの１つにマッピングする量子化関数である。
【００４０】
一様なアクセス系列区分を用いて、Ｎ個のプリアンブル系列は、各セット中にＮ／２個の系列を有する２つのセットに区分される。例として、２つの同時のアクセス・アテンプトがある（すなわち、正確に２つのアクセス端末が各アクセス・スロットにおいてシステムをアクセスしようと試みている）と仮定する。衝突確率は、次式によって与えられ、  
【数１】
2011024234.tif 000003
【００４１】
である。
【００４２】
確率α２を用いて、２つのアクセス端末が、Ｍ＝１（すなわち、これら両者が、量子化されたＣＱＩレベル＝１を有する）を送ることを望んでいる。第１のセットから選択されようとしているＮ／２個のプリアンブル系列があるので、（両方のアクセス端末がこのセットから自分の系列を選択することを与えられると）衝突確率は、１／（Ｎ／２）である。同じ論理にしたがって、他のセットについての衝突確率が、導出されることができる。
【００４３】
それゆえ、総合衝突確率は、パラメータα及び同時のアクセス・アテンプトの数に依存する。衝突確率は、２／Ｎ（α＝０，１）程度まで高くなる、又は１／Ｎ（α＝０．５）程度まで小さくなることがある。したがって、このケースではαの最適な選択は、α＝０．５である。しかしながら、結果としてα＝０．５になるＣＱＩ量子化関数が好ましい関数であるかどうかは、不明確である。
【００４４】
アクセス・ポイントは、ＣＱＩレベルによって指示されたようにリンクを閉じるために必要なパワー・レベルで受領通知チャネルを伝送する。この例では、確率αで、アクセス・ポイントは、同報通信チャネルのパワーに対応するパワーで伝送する必要があり、そして確率１−αで、アクセス・ポイントは、あるより低いパワーで伝送できる。それゆえ、α＝０．５で、大抵、アクセス・ポイントは、受領通知チャネルを同報通信する必要がある。一方で、α＝０．５を選択することによって、アクセス・ポイントは、そう頻繁でなく受領通知チャネルを同報通信するが、残りの時間における伝送パワーの増加そしてより高い総合衝突確率を招くことを強いられる。
【００４５】
図６は、量子化されたＣＱＩ値に基づいて重み付けされた区分６００を示す図を説明する。領域は、一様な間隔ではない種々の領域に区分されるが、むしろ重み付けされている量子化されたＣＱＩ値に基づいて区分される。領域を重み付けすることによって、アクセス端末がその領域の中にいる高い確率（すなわち、より高いマス関数）を有する領域内で、追加のプリアンブル系列が利用可能である。例えば、領域６０４，６０８及び６１２は、より多くの数の利用可能なアクセス系列を有することに対応することがあり得る大きな領域である。逆に、領域６１６及び６２０は、より少ない量のユーザが存在することそしてそのためより少ないアクセス系列が利用可能であることを示す小さな領域である。したがって、領域は、与えられたセル内で指定された領域内のＣ／Ｉの分布又は受け取られたパワーの分布に関するある種の事前の知識をもって区分されることができる。地理的な領域が与えられたＣＱＩ範囲内のユーザの密度を常に表さないことがあることが予期される。むしろ、一様でない間隔の地理的な表記が、与えられたセル領域全体を通してアクセス系列の一様でない分布を指示することである。
【００４６】
１つの実施形態では、セル内部でアクセス端末の分布確率は、時間全体にわたるアクセス端末の分布に基づいてダイナミックであり得る。したがって、ある区分された領域は、１日の所定の時間においてアクセス端末が存在しないこと又は存在することに多かれ少なかれ基づくことがある、又はそうでなければ与えられたＣＱＩ領域内のアクセス端末存在の密度の関数として調節されることができる。
【００４７】
そのように、最初のアクセスのために利用可能な系列は、Ｎ個の複数の区分に分割される。アクセス端末は、少なくとも観測されるパイロット・パワー及びバッファ・レベルに基づいてアクセス・アテンプトのために使用されるべき区分を決定する。区分は、同様に他の複数の要素、例えば、パケット・サイズ、トラフィック・タイプ、帯域幅要求、又はサービスの品質、によって決定される。一旦、区分が決定されると、アクセス端末は、その区分全体にわたる一様な確率を使用して系列ＩＤを選択する。アクセスのために利用可能な系列のうちで、１つの系列のサブセットは、アクティブ・セット動作のために確保され、そして別の１つの系列のサブセットが最初のアクセスのために利用可能である。１つの実施形態では、系列０，１及び２が、アクティブ・セット動作のために確保され、そして系列３からアクセス系列の全数までが、最初のアクセスのために利用可能である。
【００４８】
各区分のサイズは、システム情報ボック（bock）内のアクセス系列区分フィールドによって決定される。これは、一般的にセクタ・パラメータの一部である。特定の区分数Ｎは、区分Ｎよりも小さい低しきい値から、区分Ｎよりも大きい高しきい値までの範囲にわたる系列識別子を備える。２つのしきい値は、区分サイズを使用して決定され、下記の表１に一部が与えられる。  
【表１】
2011024234.tif 000004
【００４９】
そのように、本実施形態では、アクセス端末は、捕捉チャネル・タイム・スロットにおいて受け取られる全パワーに対するアクセス・アテンプトが行われようとしているセクタからの捕捉パイロット・パワーの比、デシベルで測定される、に基づいて自身のパイロット・レベルを選択する。パイロットしきい値は、システム情報メッセージのパイロット強度分割フィールドに基づいて決定される。
【００５０】
その技術によって、アクセス系列空間が量子化されたＣＱＩの統計値にしたがって区分される技術を、複数の実施形態が記載する。より正確に、  
ｐ＝［ｐ１  ｐ２  ．．．ｐＭ］
は、量子化されたＣＱＩ値の確率マス（mass）関数であり、ここで、  
Ｐｒ（ＣＱＩ＝１）＝ｐ１，Ｐｒ（ＣＱＩ＝２）＝ｐ２，．．．Ｐｒ（ＣＱＩ＝Ｍ）＝ｐＭ  
である。アクセス系列空間は、それから類似の確率マス関数を有するように区分される。すなわち、アクセス系列の全数に対する各セット内のアクセス系列の数の比は、比例するはずであり、その結果、  
【数２】
2011024234.tif 000005
【００５１】
であり、ここで、Ｎｋは、セットＫ∈｛１，２，．．．，Ｍ｝内のアクセス系列の数である。
【００５２】
２レベルＣＱＩ量子化関数を記述する例では、次の結果を生む：  
Ｐｒ（Ｍ（ＣＱＩ）＝１）＝αそして  Ｐｒ（Ｍ（ＣＱＩ）＝２）＝１−α
各セット内のアクセス系列の数は、したがって、それぞれ（α）Ｎ及び（１−α）Ｎである。結果としての衝突確率は、  
【数３】
2011024234.tif 000006
【００５３】
であり、それは、起こりうる最小の衝突確率である。
【００５４】
Ｍ個の可能性のあるＣＱＩレベル及びＵ個の同時のアテンプトを有するより一般的な設定に対して、衝突確率の解析的な表示は、さらに複雑になってくる。
【００５５】
別の１つの例では、Ｍ＝６，Ｕ＝８，そしてＮ＝１０２４を考える。ＣＱＩ値が４−５ｄＢのステップで量子化されると仮定する。量子化されたＣＱＩ値は、次の確率マス関数［０．０５，０．２５，０．２５  ０．２０  ０．１５  ０．１０］で［−３，１，５，１５，２０］ｄＢにより与えられる。すなわち、時間の５％、ユーザは−３ｄＢより低いＣＱＩ値を報告し、−３と１ｄＢとの間のＣＱＩ値で時間の２５％、そして等々。アクセス・ポイントは、その後、報告されたＣＱＩに基づいて受領通知チャネルに対するパワーを調節できる。
【００５６】
提案されたアクセス系列区分技術を使用すると、結果としての衝突確率は、ほぼ２．５％である。比較される一様なアクセス系列区分を使用する衝突確率は、３．３％である。しかしながら、一様なアクセス系列区分が使用される場合に、同様な衝突確率を得るために、系列の全数は、２５％だけ増加して１２８０になる必要がある。したがって、検索する大きな数のアクセス系列は、より高い複雑性にそしてより高い誤ったアラーム確率を直接的に意味する。
【００５７】
この区分方針は、パケット・サイズ、トラフィック・タイプ、及びアクセス・チャネル全体にわたる帯域幅要求、のような、他の情報の信号を送るときにも、同様に使用されることができる。これは、ユーザがシステムに戻ろうとするため又はリソースを要請するための手段として、アクセス・チャネル（プリアンブル部分）が使用される場合に、特に有用である。もし、伝達されようとしている情報の統計値に関する情報（例えば、あるトラフィック接続（ｈｔｔｐ，ｆｔｐ，ＳＭＳ）の時間の割合が要請されているか、又はどれだけの帯域幅が頻繁に必要とされるか、等）が既知であれば、その時はこの情報は、アクセス・プリアンブル系列空間の区分を決定する際に使用されることができる。
【００５８】
図７は、アクセス系列のグループを種々の要素に基づいてアクセス系列のサブグループに区分するメモリ内に記憶されたテーブル７００を図示する。要素は、ＣＱＩ範囲、バッファ・レベル、サービスの品質、パケット・サイズ、周波数帯域幅要求、及び他の要素を含む。与えられたサブグループ内のアクセス系列の量は、考慮されるべき要素の関数として与えられたセル内のユーザの過去の密度について維持された統計値によって最初に決定されることができる。そのように、各セルは、種々の要素の組み合わせについてのアクセス系列の予め決められたマス分布を有することができる。そのように行うことで、同じアクセス系列を選択する複数のユーザの衝突確率は、最小にされる。
【００５９】
１つの実施形態では、要素の種々の組み合わせに割り当てられるアクセス系列の数は、ユーザのニーズの構成内容の変化に基づいてダイナミックに変化することがある。したがって、もし多くの数のユーザが与えられた範囲内のＣＱＩ及びある量のバッファ・レベルを有し、そして別の種々の要素を有する領域に移動するのであれば、その領域は、追加のアクセス系列を割り当てられることがある。アクセス系列のダイナミックな割り当ては、そのように最適なシナリオを模倣し、それによって衝突確率は最小にされる。
【００６０】
図８は、そのようなプロセス８００を図示する。初期の区分が設定され８０４、それによって複数のアクセス系列をアクセス系列の複数のグループに区分する。これらのグループは、ＣＱＩ値の範囲に基づくことができる。１つの実施形態では、初期の設定は、アクセス系列の一様な分布に基づくことができる。他の１つの実施形態では、初期の区分サイズは、過去のデータに基づくことができる。カウンタ８０８は、各サブセットにおけるアクセス・アテンプトを計数する。カウンタは、時間の終わりまでアクセス・アテンプトを追跡観測し続けることができ、変化する頻繁な使用又は少ない使用のパターンがあるかを決定する。時間の終わりまでのこのアクセス・アテンプトに基づいて、与えられたサブセットにおけるアクセス・アテンプトの期待値は、更新されることができる８１２。期待値は、次式によって表されることができる：  
Ｅｍ：＝（１−β）Ｅｍ＋βａｍ（ａｍ−１）  
ここで、Ｅｍは期待値であり、ａｍは与えられたサブセット内のアクセス系列の量を表し、そしてβは見落とし要素（forgetting factor）である。見落とし要素は、平均帰納数（recursively）を算出し、それはより新しいデータにより大きな重みを与え、新しくないデータにより小さな重みを与える。
【００６１】
新しい期待値に基づいて、新しいサブセット・サイズが決定されることができる８１６。１つの実施形態では、サブセット・サイズは、次の式によって決定される：  
【数４】
2011024234.tif 000007
【００６２】
ここで、Ｎｍは新しいサブセット・サイズであり、Ｅｋはｋ番目のサブセットの“古い”期待値であり、ｍはＭ個の全サブセットのうちの与えられたサブセットである。
【００６３】
新しく決定されたサブセット・サイズが以前に設定されたサブセット・サイズと実質的に異なるかどうかについての決定がなされる８２０。何が“実質的な相違”を構成するかについてのしきい値は、設定可能である。新しく決定されたサブセット・サイズが実質的に異なると決定がなされるのであれば８２４、サブセット・サイズはリセットされる。もしそうでなければ（８２８）、現在のサブセット・サイズが維持される８３２。
【００６４】
本発明の種々の態様及び特徴が、具体的な実施形態に関して記載されてきた。本明細書中で使用されるように、用語‘具備する’、‘具備している’又はそのいかなる別の変形は、それらの用語にしたがう要素又は制限を非限定的に含むとして解釈されるように意図される。したがって、システム、方法、要素のセットを備える他の実施形態は、それらの要素だけに限定されない、そして明示的に列挙されていない他の要素又は権利を主張する実施形態に固有の他の要素を含むことができる。
【００６５】
本発明が特定の実施形態を参照して記載されていている一方で、実施形態は、例示的でること、そして本発明の範囲がこれらの実施形態に限定されないことが、理解されるはずである。上に記載された実施形態に対する多くの変形、修正、追加及び改善が、可能である。特許請求の範囲の中に詳細に述べられるように、これらの変形、修正、追加及び改善は、本発明の範囲内になることが、予期される。
【図１】
2011024234.tif 000008
【図２】
2011024234.tif 000009
【図３】
2011024234.tif 000010
【図４】
2011024234.tif 000011
【図５】
2011024234.tif 000012
【図６】
2011024234.tif 000013
【図７】
2011024234.tif 000014
【図８】
2011024234.tif 000015
【手続補正書】
【提出日】平成22年9月22日(2010.9.22)
【手続補正１】
【補正対象書類名】特許請求の範囲
【補正対象項目名】全文
【補正方法】変更
【補正の内容】
【特許請求の範囲】
【請求項１】
複数のアクセス系列を区分する方法であって、
１つのセル内の複数のアクセス端末のマス分布を決定すること、ここにおいて、該マス分布は複数のサブグループに区分されようとしている複数のアクセス端末の関数である、ここにおいて、各サブグループは予め決められた範囲内のＣＱＩ値の関数として分類される；及び
該マス分布に比例してアクセス系列のグループを割り当てること、
を具備する方法。
【請求項２】
該セル内のアクセス端末の分布の変化の関数としてアクセス系列を再割り当てすることをさらに備える請求項１に記載の方法。
【請求項３】
複数のアクセス系列を区分するための装置であって、
セル内の複数のアクセス端末のマス分布を決定するための手段、ここにおいて、該マス分布は複数のサブグループに区分されようとしている複数のアクセス端末の関数である、ここにおいて、各サブグループは予め決められた範囲内のＣＱＩ値の関数として分類される；及び
該マス分布に比例してアクセス系列のグループを割り当てるための手段、
を具備する装置。
【請求項４】
該セル内のアクセス端末の分布の変化の関数としてアクセス系列を再割り当てするための手段をさらに具備する請求項１に記載の装置。
【請求項５】
無線通信システムにおける、検出されたアクセス系列の受領通知を伝送する方法であって、
アクセス系列を受け取ること；
与えられたアクセス端末の少なくとも１つの属性を該アクセス系列の関数として決定すること；及び
該少なくとも１つの属性と同等（commensurate）の情報を伝送すること、
を具備する方法。
【請求項６】
該属性は、チャネル品質インディケータ、バッファ・レベル・インディケータ、優先権インディケータ及びサービスの品質インディケータのうちの少なくとも１つである請求項５に記載の方法。
【請求項７】
該情報を伝送することは、受領のインディケータを伝送することをさらに備える請求項５に記載の方法。
【請求項８】
共用シグナリング・チャネル（ＳＳＣＨ）を介して受領のインディケータを伝送することをさらに備える請求項７に記載の方法。
【請求項９】
該受領のインディケータは、共用シグナリング・チャネル（ＳＳＣＨ）の特定の部分に含まれる、ここにおいて、該ＳＳＣＨの該部分は該受領のインディケータが良好に受け取られるために必要な伝送パワーに基づいて区分される請求項８に記載の方法。
【請求項１０】
無線通信システムにおける、検出されたアクセス系列の受領通知を伝送するための装置であって、
アクセス系列を受け取るための手段；
該アクセス系列の関数として与えられたアクセス端末の少なくとも１つの属性を決定するための手段；及び
該少なくとも１つの属性と同等の情報を伝送するための手段、
を具備する装置。
【請求項１１】
該属性は、チャネル品質インディケータ、バッファ・レベル・インディケータ、優先権インディケータ及びサービスの品質インディケータのうちの少なくとも１つである請求項１０に記載の装置。
【請求項１２】
該情報を伝送するための手段は、受領のインディケータを伝送することをさらに備える請求項１０に記載の装置。
【請求項１３】
共用シグナリング・チャネル（ＳＳＣＨ）を介して受領のインディケータを伝送するための手段をさらに備える請求項１２に記載の装置。
【請求項１４】
該受領のインディケータは、共用シグナリング・チャネル（ＳＳＣＨ）の特定の部分に含まれる、ここにおいて、該ＳＳＣＨの該部分は該受領のインディケータが良好に受け取られるために必要な伝送パワーに基づいて区分される請求項１２に記載の装置。
【手続補正２】
【補正対象書類名】明細書
【補正対象項目名】００２２
【補正方法】変更
【補正の内容】
【００２２】
図１は、無線通信システム１００内の送信機１１０及び受信機１５０のブロック図を図示する。送信機１１０において、ＴＸデータ・プロセッサ１２０は、データ・ソース１１２からデータ・パケットを受け取る。ＴＸデータ・プロセッサ１２０は、そのパケットに対して選択されたモードにしたがって各データ・パケットを処理し（例えば、フォーマット化し、符号化し、区分し、インターリーブし、そして変調し）、そしてそのパケットに対してＴ個までのデータ・シンボルのブロックを発生する。各データ・パケットに対して選択されたモードは、（１）パケット・サイズ（すなわち、パケットのための情報ビットの数）及び（２）そのパケットの各データ・シンボル・ブロックに対して使用するためのコード・レートと変調体系との特定の組み合わせ、を指示することができる。コントローラ１３０は、選択されたモードに基づいて各データ・パケットに対するデータ・ソース１１２及びＴＸデータ・プロセッサ１２０に様々な制御を提供する。ＴＸデータ・プロセッサ１２０は、データ・シンボル・ブロックのストリーム（例えば、各フレームに対して１ブロック）を提供する、そこでは、各パケットに対するブロックは、１又はそれより多くの別のブロックとインターレースされることができる。
【手続補正３】
【補正対象書類名】明細書
【補正対象項目名】００２３
【補正方法】変更
【補正の内容】
【００２３】
送信機ユニット（ＴＭＴＲ：transmitter unit）１２２は、ＴＸデータ・プロセッサ１２０からデータ・シンボル・ブロックのストリームを受け取り、そして変調された信号を発生する。送信機ユニット１２２は、（例えば、時間多重化、周波数多重化、及び／又はコード分割多重化を使用して）データ・シンボルをパイロット・シンボルに多重化し、そして送信シンボルのストリームを得る。各送信シンボルは、データ・シンボル、パイロット・シンボル、又はゼロの信号値を有するヌル・シンボルであり得る。もし、ＯＦＤＭがシステムによって使用されるならば、送信機ユニット１２２は、ＯＦＤＭ変調を実行できる。送信機ユニット１２２は、時間ドメイン・サンプルのストリームを発生し、さらに変調された信号を発生するためにサンプル・ストリームを調整する（例えば、アナログに変換し、周波数アップコンバートし、フィルタし、そして増幅する）。変調された信号は、次に、受信機１５０にアンテナ１２４からそして通信チャネルを介して伝送される。
【手続補正４】
【補正対象書類名】明細書
【補正対象項目名】００２４
【補正方法】変更
【補正の内容】
【００２４】
受信機１５０において、送信された信号は、アンテナ１５２によって受け取られ、そして受け取られた信号は、受信機ユニット（ＲＣＶＲ：receiver unit）１５４に与えられる。受信機ユニット１５４は、受け取られた信号を調整し、ディジタル化し、そして前処理をして（例えば、ＯＦＤＭ復調して）、受け取られたデータ・シンボル及び受け取られたパイロット・シンボルを得る。受信機ユニット１５４は、受け取られたデータ・シンボルを検出器１５６に与えそして受け取られたパイロット・シンボルをチャネル推定器１５８に与える。チャネル推定器１５８は、受け取られたパイロット・シンボルを処理し、そして通信チャネルに関するチャネル推定値（例えば、チャネル利得推定値及びＳＩＮＲ推定値）を与える。検出器１５６は、チャネル推定値を用いて受け取られたデータ・シンボルについて検出を実行し、そして検出されたデータ・シンボルをＲＸデータ・プロセッサ１６０に与える。検出されたデータ・シンボルは、（以下に説明されるように）データ・シンボルを形成するために使用するコード・ビットに関する対数尤比（ＬＬＲ：log-likelihood ratio）によって表されることができる又は他の表記によって表されることができる。検出されたデータ・シンボルの新たなブロックが、与えられたデータ・パケットに対して得られるときはいつでも、ＲＸデータ・プロセッサ１６０は、そのパケットに対して得られた全ての検出されたデータ・シンボルを処理し（例えば、デインターリーブしそして復号し）、そしてデータ・シンク１６２に復号されたパケットを与える。ＲＸデータ・プロセッサ１６０は、同様に、復号されたパケットを検査し、そしてパケット・ステータスを与える、それはパケットが正しく復号されたか又は誤りで復号されたかどうかを指示する。
【手続補正５】
【補正対象書類名】明細書
【補正対象項目名】００２５
【補正方法】変更
【補正の内容】
【００２５】
コントローラ１７０は、チャネル推定器１５８からチャネル推定値を受け取り、そしてＲＸデータ・プロセッサ１６０からパケット・ステータスを受け取る。コントローラ１７０は、チャネル推定値に基づいて受信機１５０に伝送されようとしている次のデータ・パケットに対するモードを選択する。コントローラ１７０は、同様に、フィードバック情報をアセンブルする。フィードバック情報は、ＴＸデータ・プロセッサ１８２によって処理され、送信機ユニット１８４によってさらに調整され、そして送信機１１０にアンテナ１５２を介して伝送される。
【手続補正６】
【補正対象書類名】明細書
【補正対象項目名】００２６
【補正方法】変更
【補正の内容】
【００２６】
送信機１１０において、受信機１５０からの送信された信号は、アンテナによって受け取られ、受信機ユニット１４２によって調整され、そしてＲＸデータ・プロセッサ１４４によってさらに処理されて、受信機１５０によって送られたフィードバック情報を復元させる。コントローラ１３０は、受け取られたフィードバック情報を取得し、受信機１５０に送られるパケットのＩＲ伝送を制御するためにＡＣＫ／ＮＡＫを使用し、そして次のデータ・パケットを処理するために選択されたモードを使用して、受信機１５０に送る。コントローラ１３０及び１７０は、それぞれ、送信機１１０及び受信機１５０における動作を管理する。メモリ・ユニット１３２及び１７２は、それぞれ、コントローラ１３０及び１７０によって使用されるプログラム・コード及びデータに対する記憶場所を与える。
【手続補正７】
【補正対象書類名】明細書
【補正対象項目名】００６５
【補正方法】変更
【補正の内容】
【００６５】
本発明が特定の実施形態を参照して記載されていている一方で、実施形態は、例示的でること、そして本発明の範囲がこれらの実施形態に限定されないことが、理解されるはずである。上に記載された実施形態に対する多くの変形、修正、追加及び改善が、可能である。特許請求の範囲の中に詳細に述べられるように、これらの変形、修正、追加及び改善は、本発明の範囲内になることが、予期される。
[付記１]
無線通信システムにおける、チャネル品質のインディケータを決定する方法、該方法は下記を具備する：
観測された伝送のメトリックを決定すること；
該観測された伝送の少なくとも該メトリックに基づいてチャネル品質の推定値を決定すること；及び
複数のアクセス系列のグループのうちの１つのグループからランダムにアクセス系列を選択すること、ここにおいて、該複数のアクセス系列のグループはチャネル品質値の異なる範囲に対応する、そしてここにおいて、該選択されたアクセス系列は該決定されたチャネル品質の推定値に対応する該複数のグループのうちの該グループからである。
[付記２]
付記１に記載の方法、ここにおいて、該メトリックを決定することは、観測されたパイロット信号のパワーを決定することをさらに備える。
[付記３]
付記１に記載の方法、ここにおいて、該チャネル品質の推定値を決定することは、ノイズに対する受け取ったパイロット・パワーの比を決定することをさらに備える。
[付記４]
付記１に記載の方法、ここにおいて、該チャネル品質の推定値を決定することは、受け取ったパイロット・パワーとノイズとの合計に対する受け取ったパイロット・パワーの比を決定することをさらに備える。
[付記５]
付記１に記載の方法、ここにおいて、該複数のアクセス系列のグループ内の該複数のアクセス系列は、不均一に配置される。
[付記６]
付記１に記載の方法、該方法は、該選択されたアクセス系列を伝送することをさらに備える。
[付記７]
付記６に記載の方法、ここにおいて、伝送することは、周波数分割多重化（ＦＤＭ）体系にしたがって伝送することをさらに備える。
[付記８]
付記６に記載の方法、ここにおいて、伝送することは、符号分割多重化（ＣＤＭ）体系にしたがって伝送することをさらに備える。
[付記９]
付記６に記載の方法、ここにおいて、該伝送する行為は、直交周波数分割多元接続（ＯＦＤＭＡ）体系にしたがって伝送することをさらに備える。
[付記１０]
付記１に記載の方法、ここにおいて、選択することは、アクセス端末要求を指示する情報を選択することをさらに備える。
[付記１１]
付記１０に記載の方法、ここにおいて、情報を選択することは、バッファ・レベル・ニーズ、サービスの品質要求、順方向リンク・チャネル品質インディケータの情報を選択することをさらに備える。
[付記１２]
無線通信システムにおける、チャネル品質のインディケータを決定するための装置、該装置は下記を具備する：
観測される伝送を受け取るために構成された受信機；
該観測された伝送のメトリックを決定するため、そして該観測された伝送の少なくとも該メトリックの関数としてチャネル品質の推定値を決定するために構成されたプロセッサ；
複数のアクセス系列のグループを記憶するために構成されたメモリ・エレメント、ここにおいて、該複数のアクセス系列のグループはチャネル品質値の異なる範囲に対応する；及び
該決定されたチャネル品質値に対応する該複数のグループのうちの該グループからランダムにアクセス系列を選択するために構成されたセレクタ。
[付記１３]
付記１２に記載の装置、ここにおいて、該プロセッサは、ノイズに対する受け取ったパイロット・パワーの比を決定することをさらに備える。
[付記１４]
付記１２に記載の装置、ここにおいて、該複数のアクセス系列のグループ内の該複数のアクセス系列は、不均一に配置される。
[付記１５]
付記１２に記載の装置、該装置は、該選択されたアクセス系列を伝送するために構成された送信機をさらに備える。
[付記１６]
付記１５に記載の装置、ここにおいて、該送信機は、周波数分割多重化（ＦＤＭ）体系にしたがって伝送するためにさらに構成される。
[付記１７]
付記１５に記載の装置、ここにおいて、該送信機は、符号分割多重化（ＣＤＭ）体系にしたがって伝送するためにさらに構成される。
[付記１８]
付記１４に記載の装置、ここにおいて、該送信機は、直交周波数分割多元接続（ＯＦＤＭＡ）体系にしたがって伝送するためにさらに構成される。
[付記１９]
付記１１に記載の装置、ここにおいて、該セレクタは、アクセス端末要求を指示する情報を選択するためにさらに構成される。
[付記２０]
付記１９に記載の装置、ここにおいて、該アクセス端末要求を指示する情報は、バッファ・レベル、サービスの品質要求、順方向リンク・チャネル品質インディケータを備える。
[付記２１]
無線通信システムにおける、チャネル品質のインディケータを決定するための装置、該手段は下記を具備する：
観測される伝送のパワー・レベルを決定するための手段；
該観測された伝送の該パワー・レベルの関数としてＣＱＩ値を決定するための手段；及び
複数のアクセス系列のグループのうちの１つのグループからランダムにアクセス系列を選択するための手段、ここにおいて、該複数のアクセス系列のグループはＣＱＩ値の異なる範囲に対応する、そしてここにおいて、該選択されたアクセス系列は該決定されたＣＱＩ値に対応する該複数のグループのうちの該グループからである。
[付記２２]
付記２１に記載の装置、ここにおいて、パワー・レベルを決定するための手段は、観測されるパイロット信号のパワー・レベルを決定するための手段をさらに備える。
[付記２３]
付記２１に記載の装置、ここにおいて、該複数のアクセス系列のグループ内の該複数のアクセス系列は、不均一に配置される。
[付記２４]
付記２１に記載の装置、該装置は、該選択されたアクセス系列を伝送するための手段をさらに備える。
[付記２５]
付記２４に記載の装置、ここにおいて、伝送するための手段は、周波数分割多重化（ＦＤＭ）体系にしたがって伝送するための手段をさらに備える。
[付記２６]
付記２４に記載の装置、ここにおいて、伝送するための手段は、符号分割多重化（ＣＤＭ）体系にしたがって伝送するための手段をさらに備える。
[付記２７]
付記２４に記載の装置、ここにおいて、伝送するための手段は、直交周波数分割多重化（ＯＦＤＭ）体系にしたがって伝送することをさらに備える。
[付記２８]
付記２４に記載の装置、ここにおいて、該伝送するための手段は、直交周波数分割多元接続（ＯＦＤＭＡ）体系にしたがって伝送するための手段をさらに備える。
[付記２９]
付記２１に記載の装置、ここにおいて、選択することは、アクセス端末要求を指示する情報を選択するための手段をさらに備える。
[付記３０]
付記２９に記載の装置、ここにおいて、情報を選択するための手段は、バッファ・レベル・ニーズ、サービスの品質要求、及び／又は順方向リンク・チャネル品質インディケータに関する情報を選択することをさらに備える。
[付記３１]
無線通信システムにおける、アクセス端末ニーズに関する情報を伝送する方法、該方法は下記を具備する：
観測されるパイロット信号の受け取られたパワー・レベルを決定すること；
該受け取られたパワー・レベルの関数としてＣＱＩ値を決定すること；及び
複数のアクセス系列のグループのうちの１つのグループからランダムにアクセス系列を選択すること、ここにおいて、該複数のアクセス系列のグループは複数の予め決められた要素に対応する。
[付記３２]
付記３１に記載の方法、ここにおいて、該予め決められた要素は、ＣＱＩ値の範囲、バッファ・レベルの範囲、パケット・サイズ、トラフィック・タイプ、周波数帯域幅要求及びサービスの品質インディケータの範囲のうちの１又はそれより多くを含む。
[付記３３]
無線通信システムにおける、チャネル品質インディケータ（ＣＱＩ）を伝達する方法、該方法は下記を具備する：
観測されるパイロット信号のパワー・レベルを決定すること；
該観測されたパイロット信号の該パワー・レベルの関数としてＣＱＩ値を決定すること；
複数のアクセス系列のグループのうちの１つのグループからランダムにアクセス系列を選択すること、ここにおいて、該複数のアクセス系列のグループは異なる該ＣＱＩ値に対応する；
該選択されたアクセス系列に該ＣＱＩ値を付け加えること；及び
該アクセス系列及びＣＱＩ値を伝送すること。
[付記３４]
複数のアクセス系列を区分する方法、該方法は下記を具備する：
アクセス・ポイントについて複数のアクセス端末の確率分布を決定すること、ここにおいて、該確率分布は複数のサブグループに区分されようとしている複数のアクセス端末の関数である、ここにおいて、各サブグループは予め決められた範囲内のＣＱＩ値の関数として分類される；及び
該確率分布に比例してアクセス系列のグループを割り当てること。
[付記３５]
付記３４に記載の方法、該方法は、該アクセス・ポイントについてのアクセス端末の分布の変化の関数としてアクセス系列を再割り当てすることをさらに備える。
[付記３６]
無線通信システムにおける、アクセス端末ニーズに関する情報を伝送するための装置、該装置は下記を具備する：
観測されるパイロット信号の受け取られるパワー・レベルを決定するための手段；
該受け取られたパワー・レベルの関数としてＣＱＩ値を決定するための手段；及び
複数のアクセス系列のグループのうちの１つのグループからランダムにアクセス系列を選択するための手段、ここにおいて、該複数のアクセス系列のグループは複数の予め決められた要素に対応する。
[付記３７]
付記３１に記載の装置、ここにおいて、該予め決められた要素は、ＣＱＩ値の範囲、バッファ・レベルの範囲、パケット・サイズ、トラフィック・タイプ、周波数帯域幅要請及びサービスの品質インディケータの範囲のうちの１又はそれより多くを含む。
[付記３８]
無線通信システムにおける、チャネル品質インディケータ（ＣＱＩ）を伝達するための装置、該装置は下記を具備する：
観測されるパイロット信号のパワー・レベルを決定するための手段；
該観測されたパイロット信号の該パワー・レベルの関数としてＣＱＩ値を決定するための手段；
複数のアクセス系列のグループのうちの１つのグループからランダムにアクセス系列を選択するための手段、ここにおいて、該複数のアクセス系列のグループは異なる該ＣＱＩ値に対応する；
該選択されたアクセス系列に該ＣＱＩ値を付け加えるための手段；及び
該アクセス系列及びＣＱＩ値を伝送するための手段。
[付記３９]
複数のアクセス系列を区分するための装置、該装置は下記を具備する：
アクセス・ポイントについて複数のアクセス端末の確率分布を決定するための手段、ここにおいて、該確率分布は複数のサブグループに区分されようとしている複数のアクセス端末の関数である、ここにおいて、各サブグループは予め決められた範囲内のＣＱＩ値の関数として分類される；及び
該確率分布に比例してアクセス系列のグループを割り当てるための手段。
[付記４０]
付記３４に記載の装置、該装置は、該アクセス・ポイントについてのアクセス端末の分布の変化の関数としてアクセス系列を再割り当てするための手段をさらに備える。
[付記４１]
無線通信システムにおける、検出されたアクセス系列の受領通知を伝送する方法、該方法は下記を具備する：
アクセス系列を受け取ること；
該アクセス系列の関数として与えられたアクセス端末の少なくとも１つの属性を決定すること；及び
該少なくとも１つの属性と同等（commensurate）の情報を伝送すること。
[付記４２]
付記４１に記載の方法、ここにおいて、該属性は、チャネル品質インディケータ、バッファ・レベル・インディケータ、優先権インディケータ及びサービスの品質インディケータのうちの少なくとも１つである。
[付記４３]
付記４１に記載の方法、ここにおいて、該情報を伝送することは、受領のインディケータを伝送することをさらに備える。
[付記４４]
付記４３に記載の方法、該方法は、共用シグナリング・チャネル（ＳＳＣＨ）を介して受領のインディケータを伝送することをさらに備える。
[付記４５]
付記４４に記載の方法、ここにおいて、該受領のインディケータは、共用シグナリング・チャネル（ＳＳＣＨ）の特定の部分に含まれる、ここにおいて、該ＳＳＣＨの該部分は該受領のインディケータが良好に受け取られるために必要な伝送パワーに基づいて区分される。
[付記４６]
無線通信システムにおける、Ｎのディメンションを具備するメモリ媒体、ここにおいて、該ディメンションのうちの少なくとも１つはアクセス系列をチャネル品質のインディケータと相互に関係付けるデータを備える。
[付記４７]
付記４６に記載のメモリ媒体、該メモリ媒体は、アクセス系列をバッファ・レベルと相互に関係付けるデータを備えるディメンションをさらに備える。
[付記４８]
付記４６に記載のメモリ媒体、該メモリ媒体は、アクセス系列をパケット・サイズと相互に関係付けるデータを備えるディメンションをさらに備える。
[付記４９]
付記４６に記載のメモリ媒体、該メモリ媒体は、アクセス系列をトラフィック・タイプと相互に関係付けるデータを備えるディメンションをさらに備える。
[付記５０]
付記４６に記載のメモリ媒体、該メモリ媒体は、アクセス系列をサービスの品質インディケータと相互に関係付けるデータを備えるディメンションをさらに備える。
[付記５１]
付記４６に記載のメモリ媒体、該メモリ媒体は、アクセス系列を周波数帯域幅に関する要請と相互に関係付けるデータを備えるディメンションをさらに備える。
[付記５２]
無線通信システムにおける、検出されたアクセス系列の受領通知を伝送するための装置、該装置は下記を具備する：
アクセス系列を受け取るための手段；
該アクセス系列の関数として与えられたアクセス端末の少なくとも１つの属性を決定するための手段；及び
該少なくとも１つの属性と同等の情報を伝送するための手段。
[付記５３]
付記５２に記載の装置、ここにおいて、該属性は、チャネル品質インディケータ、バッファ・レベル・インディケータ、優先権インディケータ及びサービスの品質インディケータのうちの少なくとも１つである。
[付記５４]
付記５２に記載の装置、ここにおいて、該情報を伝送するための手段は、受領のインディケータを伝送することをさらに備える。
[付記５５]
付記５４に記載の装置、該装置は、共用シグナリング・チャネル（ＳＳＣＨ）を介して受領のインディケータを伝送するための手段をさらに備える。
[付記５６]
付記５４に記載の装置、ここにおいて、該受領のインディケータは、共用シグナリング・チャネル（ＳＳＣＨ）の特定の部分に含まれる、ここにおいて、該ＳＳＣＨの該部分は該受領のインディケータが良好に受け取られるために必要な伝送パワーに基づいて区分される。
【外国語明細書】
2011024234000001.pdf